【事件の表示】
　特許第３３７１３３６号「蛇口直結型浄水器」の請求項１、２に係る特許に対する特許異議の申立てについて、次のとおり決定する。
【結　論】
　訂正を認める。
　特許第３３７１３３６号の訂正後の請求項１ないし２に係る特許を維持する。
【理　由】
１．訂正の適否
１−１．訂正の内容
  本件訂正の内容は、本件特許明細書を訂正請求書に添付された訂正明細書のとおりに訂正しようとするものである。
（１）訂正事項ａ
　請求項１、２を、
「【請求項１】内部に切換弁を内蔵した本体部とろ過カートリッジとを有し、蛇口に支持固定される蛇口直結型浄水器であって、蛇口に接続されて原水を受け入れる原水流入口と、浄水の流出口と、制御機能を有する電子回路とを有し、前記本体部は、結線部材により電子回路と結線されている陰極および陽極を備えた電池ホルダと、電池装着部を有し、電池を水密に固定する脱着自在な電池カバーとからなるケーシングを有し、前記結線部材は、防水部材によって前記電池ホルダに水密に固定されていることを特徴とする蛇口直結型浄水器。
【請求項２】蛇口に接続されて原水を受け入れる原水流入口と、原水を浄化するろ過カートリッジと、浄水の流出口とを備え、蛇口に支持固定される蛇口直結型浄水器であって、制御機能を有する回路が設けられた回路基板と、液晶表示器と、回路を駆動するための電池を設ける電源部とを有し、前記液晶表示器は前記回路基板に固定されるとともに一端に開口部を有する基板ホルダに収納され、その開口部が樹脂によって封止され、かつ、前記回路基板の周縁部において、その回路基板と前記基板ホルダとの間にパッキンが設けられていることを特徴とする蛇口直結型浄水器。」
と訂正する。
(２)訂正事項ｂ
　明細書中の段落【０００８】の「電池ホルダと、電池を水密に固定する脱着自在な電池カバーとからなるケーシングを有し」（本件特許掲載公報第２頁第３欄第３２〜３３行）との記載を、「電池ホルダと、電池装着部を有し、電池を水密に固定する脱着自在な電池カバーとからなるケーシングを有し」と訂正する。
１−２．訂正の目的の適否、新規事項の有無及び拡張変更の存否
（１）上記訂正事項ａ
　上記訂正事項ａは、詳細にみると、請求項１の「電池を水密に固定する脱着自在な電池カバーとからなるケーシングを有し、」に「電池装着部を有し、」を挿入し、「電池装着部を有し、電池を水密に固定する脱着自在な電池カバーとからなるケーシングを有し、」と訂正したものであり、電池カバーを電池装着部でさらに限定したものであるから、特許請求の範囲の減縮を目的とする訂正に該当する。
  そして、上記訂正事項ａは、明細書の「電池カバー１１２ は、筒状の電池装着部１１６ を有する」（本件特許掲載公報第４頁第７欄第３６〜３７行）との記載および図１１から、願書に添付した明細書に記載した事項の範囲内においてなされたものであり、また実質上特許請求の範囲を拡張し、又は変更するものでもない。
（２）上記訂正事項ｂ
　上記訂正事項ｂは、上記訂正事項ａの訂正により減縮された特許請求の範囲の記載と明細書の記載を整合させる訂正であるから、明りょうでない記載の釈明を目的とする訂正に該当し、願書に添付した明細書に記載した事項の範囲内においてなされたものであり、また実質上特許請求の範囲を拡張し、又は変更するものでもない。
１−３．まとめ
　以上のとおりであるから、上記訂正は、特許法第１２０条の４第２項及び同条第３項において準用する特許法第１２６条第２項、第３項の規定に適合するので、当該訂正を認める。
２．本件訂正発明
　特許権者が請求した上記訂正は、上述したとおり、認容することができるから、訂正後の本件請求項１、２に係る発明は訂正明細書の特許請求の範囲の請求項１、２に記載されたとおりのものである（上記１−１．（１））。（以下、それぞれ「本件発明１、２」という）
３．特許異議申立てについて
３−１．取消理由通知の概要
  請求項１、２に係る発明は刊行物１〜１３に記載された発明に基づいて当業者が容易に発明をすることができたものであるから、請求項１、２に係る発明の特許は特許法第２９条第２項の規定に違反してされたものであり取り消されるべきものであるというものである。
３−２．刊行物の記載内容
（１）刊行物１：特開２０００−１７６４４６号公報：特許異議申立人小野和宏（以下、「申立人Ａ」という）の提出した甲第１号証、特許異議申立人三菱レイヨン株式会社（以下、「申立人Ｂ」という）の提出した甲第５号証
（ａ）「水道栓に取り付けられた本体部、前記本体部に着脱自在に接続されて前記水道栓からの水を浄化する浄水カートリッジ、および相互に離脱可能に嵌合して前記本体部と前記浄水カートリッジとの間の電気的接続をする一対の電気接続部からなり、前記浄水カートリッジで生成された浄水を前記本体部に形成された浄水吐出部から吐出する浄水器であって、前記本体部は、浄水処理される水の通水量を検出する検出部と、前記検出部の出力により積算流量を算出する算出部と、前記積算流量に基いて前記浄水カートリッジの交換時期を報知する報知手段とを有し、前記浄水カートリッジには、前記本体部に電力を供給する電池が収納され、前記電気接続部には、毛細管現象による該電気接続部への水の浸透を阻止する浸透シール手段が設けられていることを特徴とする浄水器。」（請求項１）
（ｂ）「従来、積算流量を算出して表示する浄水器は本体部に電池が内蔵されているので、電池交換時の対策としてバックアップ回路や電池寿命検出回路が必要となり、回路部が複雑になっていた。また、浄水カートリッジに加えて電池までも交換しなくてはならないので、メンテナンスが煩わしいという問題があった。」（第２頁右欄第４〜９行）
（ｃ）「図１に示すように、本実施の形態の浄水器は、継手パイプ１４により水道栓１０に取り付けられた本体部１と、可動ネジ部３１を介してこの本体部１に着脱自在に接続された浄水カートリッジ２とを有している。本体部１および浄水カートリッジ２には装着位置合せマーク３０ａおよび着位置合せマーク３０ｂがそれぞれに設けられており、この着位置合せマーク３０ａ，３０ｂが相互に対向する位置になるようにして本体部１および浄水カートリッジ２が接続されている。本体部１には、原水が吐出する吐出口キャップ１２および浄水が吐出する浄水吐出部１３とが形成されている。また、本体部１には、原水の吐出および浄水の吐出を切り替える操作レバー１１が取り付けられている。そして、この操作レバー１１が原水吐出位置にあるときには、水が矢印Ａから直接矢印Ｆに流れて、原水が吐水口キャップ１２からスレート吐出あるいはシャワー吐出される。また、操作レバー１１が浄水吐出位置にあるときには、水が矢印Ａから矢印Ｂ、矢印Ｃ、矢印Ｄ、矢印Ｅに順次流れて、浄水が浄水吐出部１３から吐出される。なお、本体部１には、積算流量に基づいてカートリッジ交換時期の表示を行うＬＥＤ（報知手段）２７が設けられている。」（第４頁左欄第１０〜３１行）
（ｄ）「図２に示すように、浄水器には、本体部１に導入された水道水を浄水カートリッジ２に通水する連結管１５、浄化された水を浄水カートリッジ２から浄水吐出部１３へ通水する浄水路１６が設けられている。」（第４頁左欄第３２〜３５行）
（ｅ）「本体部１の連結管１５上には、浄水処理される水の通水量を検出する検出部５が設置されている。また、本体部１には配線基板２３が取り付けられており、浄水カートリッジ２側に設けられた電気接続部２８ａ、および本体部１側に設けられて電気接続部２８ａと離脱可能に嵌合する電気接続部２８ｂを介して電池４から電源が供給される。一方、浄水カートリッジ２を本体部１から取り外すと、電気接続部２８ａと２８ｂとが相互に分離して電源供給が絶たれ、配線基板２３はその動作を停止する。なお、図５に示すように、毛細管現象により電気接続部２８ａ，２８ｂに水が浸透するのを防止するため、電気接続部２８ａの周囲には筒状のパッキン（浸透シール手段）２９が取り付けられている。」（第４頁右欄第１〜１３）
（ｆ）「図３に示すように、配線基板２３は、検出部５で発生した交流電圧を増幅する増幅回路２４と、増幅回路２４で増幅された交流電圧をデジタル信号へと変換する電圧比較器２５と、電圧比較器２５の出力から積算流量を算出する算出部２６と、積算流量に基づいて浄水カートリッジ２の交換時期の表示を行うＬＥＤ（報知手段）２７とにより構成されている。」（第４頁右欄第１８〜２４行）
（ｇ）「すなわち、図６において、浄水カートリッジ２側に位置する電気接続部２８ａの周囲には浸水防止リブ３４ａが、また本体部１側に位置する電気接続部２８ｂの周囲には浸水防止リブ３４ｂがそれぞれ形成されている。そして、浸水防止リブ３４ａと浸水防止リブ３４ｂとが結合することによって電気接続部２８ａ，２８ｂのシール性を高める構造となっている。」（第５頁右欄第１〜７行）
（ｈ）「さらに、図８において、浄水カートリッジ２側の電気接続部２８ａの周囲には、電気接続部２８ａの突出端とほぼ等しい高さを有するリブ３８が形成されており、リブ３７の開口部を閉塞するようにしてゴム製のパッキン３７が取り付けられている。また、本体部１側の電気接続部２８ｃは、その先端部が尖った針状に形成されるとともに、先端部以外は絶縁されている。なお、このような電気接続部２８ｃを浄水カートリッジ２側とし、浄水カートリッジ２側電気接続部２８ａを本体部１側としてもよい。このような構成によれば、浄水カートリッジ２を本体部１に装着すると、針状の電気接続部２８ｃがパッキン３７を貫通して電気接続部２８ａと嵌合する。そして、パッキン３７はゴム製であるので、電気接続部２８ｃが貫通した後は隙間を空けることなく電気接続部２８ｃに密着する。これにより、電気接続部２８ａ，２８ｃの導通する部分への水の浸透を防止することができる。」（第５頁右欄第３２〜４９行）
（ｉ）「これにより、浄水カートリッジ２の交換時に電池４も同時に交換されるため、記憶データのバックアップ回路や電池寿命検出回路が不要になるとともに、ユーザによる電池交換作業も不要になる。」（第６頁左欄第１３〜１６行）
（２）刊行物２：実願平２−８５９５５号（実開平４−４３１９２号）のマイクロフィルム：申立人Ａの提出した甲第２号証
（ａ）「浴室内部に設置され内蔵の電源電池にて駆動されるコントローラであって、電源電池が内ケースに収納され、内ケースがコントローラケーシングに形成された開口から取り出し自在にコントローラケーシング内に収納され、開口に開閉蓋が設けられ成る浴室用機器コントローラ。」（請求項１）
（ｂ）「そして、コントローラケーシング７３の内部には上記電磁弁２・・・を制御する継電器、プリント配線盤、これに実装される種々の電子部品などが収納されている。また、コントローラケーシング７３の内部には電源電池６５を収納する内ケース６６も収納されている。具体的には、電源電池６５としての乾電池６９が内ケース６６に収納され、内ケース６６がコントローラケーシング７３に形成された開口６７から取り出し自在にコントローラケーシング７３内に収納され、開口６７に開閉蓋６８が着脱自在に設けられている。」（第１４頁第５〜１６行）
（ｃ）「さらに詳述すれば、内ケース６６は略円筒状に形成され、内ケース６６には防水キャップ７０がＯリング７９を介して水密的にねじ込み嵌合され、そして内ケース６６には電源電池６５としての乾電池６９が収納されるものである。・・・内ケース６６の底部及び防水キャップ７０の上端内面には乾電池６９に対する電極（図示せず）が設けられ、内ケース６６にキャップ７０をねじ込むことで、電極を乾電池６９に圧接し、そして内ケース６６の底部外部に導出したリード板８０にて電流を導出させることができるようにしてある。」（第１４頁第１７行〜第１５頁第１２行）
（３）刊行物３：実願平１−９４０４１号（実開平３−３４４７０号）のマイクロフィルム：申立人Ａの提出した甲第３号証
（ａ）「下記の構成を備える充電電池を備える防水構造の電気機器。（ａ）電気機器は、水密構造のケース１を備えている。（ｂ）ケース１は、モーター室２と、充電電池室３とを備えている。（ｃ）モーター室２には、モーター４が内蔵されている。（ｄ）充電電池室３には、充電電池５が内蔵されている。（ｅ）モーター室２と充電電池室３とは、隔壁６で気密に区画されている。（ｆ）隔壁６には、コード孔７が穿設されている。（ｇ）隔壁６のコード孔７には、モーター４と充電電池５とを電気的に接続するためのリード線８が挿通されている。（ｈ）リード線８には、軟質合成樹脂被覆銅線が使用されている。（ｉ）コード孔７は、横断面形状が円形をしている。（ｊ）コード孔７の内面には、円周方向に延長して、押圧凸条９が設けられている。（ｋ）押圧凸条９が設けられたコード孔７の最小内径は、リード線８の外形よりも多少小さく調製されている。」（実用新案登録請求の範囲第１項）
（ｂ）「すなわち、この考案の防水構造の電気機器は、隔壁に開口するコード孔の形状を独特の構造に成形し、かつ、ここに挿通するリード線に軟質合成樹脂被覆銅線を使用するという極めて簡単な構成で、充電電池室と、モーター室とを気密に区画できる特長がある。さらに、この考案の防水構造の電気機器は、コード孔に挿通するリード線を多少移動させてもコード孔は気密に閉塞される。このため、組立工程において、あるいは、組立後にリード線を引っ張ってリード線が多少ずれても、コード孔は気密の状態に保持できる特長がある。」（第１４頁第３〜１４行）
（４）刊行物４：特開平５−３１７５７６号公報：申立人Ａの提出した甲第４号証、申立人Ｂの提出した甲第４号証
（ａ）「ＬＥＤあるいは液晶，蛍光表示管等の電気光学的表示手段を備える表示装置において、前記表示手段を、略箱形のポッティングケースに内包し、ポッティングケース内にゲル状の樹脂を埋設する構成に加えて、ポッティングケースの裏面と表示手段の表面との間に隙間を形成し、表示手段の外周にシール部を設けて前記隙間を密封したことを特徴とする表示装置。」（請求項１）
（ｂ）「本発明は、たとえば洗濯機の設定コースの内容、現在までの進行状況、現在何がおこなわれているかといったことを文字，絵表示等により表わす表示装置の改良に関する。」（第２頁左欄第１１〜１４行）
（ｃ）「以下、表示部８４を詳細に説明する。表示部８４は、ＬＥＤあるいは液晶，蛍光表示管等の電気光学的表示手段よりなる。そして、図示実施例の場合、蛍光表示管８５は、仕切り板８８を介し、制御基板８９に電気的に接続されている。９６は蛍光表示管８５の片側に設けたリード部であり、蛍光表示管８５と仕切り板８８とは、その両者を接着等により固定して一体となった状態で制御基板８９に取り付ける。仕切り板８８には、受け部９７が設けられており、蛍光表示管８５と制御基板８９との間の距離を一定に保っているものであって、一方、リード部９６の反対側は、瓜９８により制御基板８９に固定されている。蛍光表示管８５と制御基板８９とは、ポッティングケースである略箱形の基板サポート８７に内包されている。基板サポート８７は、スモーク等の半透明樹脂で構成され、複数の瓜９１とネジ９４とにより、トップカバー８０に固定されている。トップカバー８０と基板サポート８７との係合部には、飾りプレート９５が接着されている。」（第３頁右欄第２５〜４７行）
（ｄ）「しかしながら、基板サポート８７内に単にゲル状の樹脂９０を流し込んだ場合、前記ゲル状の樹脂９０が表示部に回り込み、最悪の場合には、樹脂９０が表示部に侵入してその表示部の表面が濁り、表示が見えにくくなって製品として不良品となる。これに対し、図示実施例においては、蛍光表示管８５の表面８６と基板サポート８７との間に０．２〜２ｍｍの隙間Ｇを設け、その蛍光表示管表面８６の外周と基板サポート８７との間に両面テープをほどこして前記隙間Ｇを密封する構成とした。」（第４頁左欄第７〜１６行）
（５）刊行物５：特開昭５６−１６７１８０号公報：申立人Ａの提出した甲第５号証
（ａ）「エレクトロクロミック物質を形成した光透過性の表示電極基板と、この基板に対向する電極基板と、これら電極基板に介在する電解液を備えるエレクトロミック表示装置において、前記光透過性の表示電極基板を筒状に形成し、この筒の底部を表示面と成したことを特徴とするエレクトロクロミック表示装置。」（特許請求の範囲第１項）
（ｂ）「図中、１１は透明筒状（又は管状）容器、１２は透明導電膜、１３は表示側エレクトロクロミック膜、１４は背景板、１５は対向側の電極物質、１６は板状電極、１７は遮蔽板、１８はモールド樹脂、１９はキャップ、２０は電解液、２１は板状電極に溶接あるいはハンダ付等で形成される電解液注入用の孔２２と小孔２３を有する細管状電極で、対向電極の引出しリードの役目を兼ねる。」（第２頁左下欄第１０〜１８行）
（ｃ）「遮蔽板　モールド樹脂１８の流れ込みを防止する遮蔽板１７としては背景板１４と同質の材料で注入孔２２付近一帯を充填しても可能である。上記モールド樹脂としては流動性に優れ、固化後、機密性の高いエポキシ樹脂、耐湿性に優れたシリコン樹脂が用いられる。」（第３頁右上欄第１２〜１８行）
（６）刊行物６：特許第２８７５３２７号公報：申立人Ａの提出した甲第６号証
（ａ）「外ケースと、この外ケース内に収納されるように置かれる液晶表示板とを有する液晶表示装置であって、前記外ケースは透過性の硬質合成樹脂にて形成し、前記外ケース内に合成樹脂を流すための流出口を一部に有する内ケースを配置すると共に、前記液晶表示板を前記外ケースの内底から離間して前記外ケースと前記内ケースの間に配置し、前記内ケースに透過性を有し、冷えて固まった後も軟質性を保つ合成樹脂を流すことによって前記流出口から流出される前記合成樹脂で前記液晶表示板を囲繞し、かつ前記外ケースと前記液晶表示板との隙間を充填して前記液晶表示板と前記外ケースとを一体に結合したことを特徴とする液晶表示装置。」（請求項１）
（ｂ）「表示部３は、支持ピン２０をコントロール基板の支持ピン係合孔２２に挿入することによりコントロール基板に取り付けられる。」（第２頁右欄最終行〜第３頁左欄第２行）
（ｃ）「このハンダ付けを終えてから表示部３とコントロール基板６を基板ケース７にセットし、第４図に示すように基板ケース７にセットし、第４図に示すように基板ケース７にウレタン樹脂を注入してポッテング処理を施し、合成樹脂層４３でコントロール基板６を埋設する。」（第５頁左欄第３〜７行）
（ｄ）「嵌み込み穴４４の受け段部４５に、前もってパッキング４７を嵌めておくので、表示部３はこのパッキング４７で支持されるようになる。」（第５頁左欄第１３〜１５行）
（ｅ）「パッキング４７は、ウレタン樹脂の流出を防ぐものである。」（第５頁左欄第３８〜３９行）
（７）刊行物７：特開平１１−６５６号公報：申立人Ｂの提出した甲第１号証
（ａ）「浄水器本体に着脱自在に取り付けられ、内部に導入された原水を濾過する濾過カートリッジと、該濾過カートリッジの使用開始以後に該濾過カートリッジ内を流れた水の積算流量を算出する積算流量算出手段と、該積算流量算出手段により算出された積算流量と前記濾過カートリッジの基準寿命到達積算流量とを比較する比較手段とを備えた浄水器において、前記濾過カートリッジに設けられ、該濾過カートリッジの寿命到達積算流量を識別可能とする寿命到達積算流量識別部と、該寿命到達積算流量識別部から前記濾過カートリッジの寿命到達積算流量を識別して、そのデータを前記基準寿命到達積算流量として前記比較手段に供給する寿命到達積算流量設定部とを備えてなることを特徴とする浄水器。」（請求項１）
（ｂ）「以下、本発明の浄水器の実施の形態を、図１ないし図４を参照して説明する。ここでは、例えば、蛇口直結型浄水器の例を用いて説明する。図２および図３において、符号１は、浄水器である。浄水器１は、蛇口２に固定される浄水器本体３と、該浄水器本体３に着脱自在に取り付けられる濾過カートリッジ４とを備えた構成とされるものである。浄水器本体３には、蛇口２から原水が流入する流路５と、該流入した原水を濾過カートリッジ４へ導く浄水部流入路６と、前記流入した原水を直射して吐出する吐出口７へ導く第一の原水流入路８と、原水をシャワー状に吐出する吐出口９へ導く第二の原水流入路（図示せず）が形成されており、これら浄水部流入路６、第一の原水流入路８、第二の原水流入路への分岐部には、回動することにより流入した原水をこれら各流入路へ切り換えて流入させる切換弁１０が設けられており、切換弁１０には、該切換弁１０を回動するための切換レバー１９が設けられている。濾過カートリッジ４は、カートリッジ本体１３と、該カートリッジ本体１３に間隙１４を隔てて設けられた濾過体１５とを備えた構成とされている。濾過体１５は、原水導入口１６から流入し、間隙１４を経て濾過導入口１７に到った原水を濾過するものであって、内部に活性炭１１と中空糸膜１２とを収納している。活性炭１１は、原水のカルキ臭、カビ臭、トリハロメタン等を除去するものであり、中空糸膜１２は原水中の細菌類、濁度成分等を除去するものである。濾過部１５の下流側には、該濾過部１５で濾過された浄水が集水される集水部１８が形成され、集水部１８には一端が集水部１８に開口して、他端が外部に開口する吐出口２０とされる吐出路２１が形成されている。」（第３頁左欄第６〜３７行）
（ｃ）「図１に示すように、濾材寿命計測器２６は、寿命検知回路２８と識別回路２９（寿命到達積算流量設定部）と表示回路３０（報知手段）とこれら回路に電力を供給する電源回路３１とを備えた構成とされている。識別回路２９は、磁性体２５を識別して濾過カートリッジ４の寿命到達積算流量を設定するものであって、識別用演算回路３２と濾材寿命設定回路３３とから構成されるものである。」（第３頁右欄第２〜９行）
（ｄ）「また、濾過カートリッジが寿命に達したことをＬＥＤ表示する構成としたが、例えば、ＬＥＤに代えて、ブザー、液晶ディスプレイ等により使用者に報知する構成であってもよい。」（第４頁右欄第４３〜４６行）
（８）刊行物８：特開平８−１１５０号公報：申立人Ｂの提出した甲第２号証
（ａ）「カートリッジの脱着を検出する検出機構部を有する浄水器において、該検出機構部が、カートリッジ表面又は内部に配設された磁石と、浄水器本体に配設された磁束検出素子とからなることを特徴とする浄水器。」（請求項１）
（ｂ）「図１は、本発明の浄水器の一実施例を示すブロック図である。浄水器は、本体１中に、流量検出部３、計測部４、電源部５、磁束検出素子６を有しており、カートリッジ２が脱着可能に取り付けられる。電源部は、構成部分に電源を供給する部分である。本実施例においては、電源部としてＡＣ／ＤＣコンバータを使用しているが、電池等の電源に置き換えることは一向に差し支えない。」（第２頁第２欄第４０〜４７行）
（ｃ）「計測部は、流量検出部からの出力により使用流量を積算するとともに、カートリッジを装着してからの時間を積算し、これら積算値が、予めカートリッジ寿命から算出し設定した設定値に達したとき、計測部に配設された表示部を点灯させる。また、計測部は検出部がカートリッジの脱着を検出すると、それまで積算した積算使用流量値や積算時間値をリセットし、初期値から積算を開始するとともに、カートリッジが外された状態においては、使用者が通水しないように表示部を点灯させる。」（第３頁第３欄第８〜１７行）
（ｄ）「浄水器の動作は次の通りである。浄水器外部から取り入れられた水道水は、まず鉄錆、大きな砂などを図示していないプレフィルタにて除去する。その後、水道水は流量検出部に通水され、計測部により積算使用流量が積算される。また、計測部はカートリッジが装着されてからの時間の積算も行う。続いて水は、表面に磁石を埋め込まれたカートリッジに通水される。カートリッジ内部には、中空糸膜及び活性炭が配設されており、水の浄水濾過を行う。この様にして得られた浄水は浄水出口より浄水器外へ吐水され、飲用等に供される。」（第３頁第３欄第２２〜３２行）
（９）刊行物９：特開平１１−１８１８５９号公報：申立人Ｂの提出した甲第３号証
（ａ）「電池を電源とする電池式洗浄便座装置であって、先端にコネクターを備えたリード線を電池の端子部に連結して電池ブロックを構成し、電池ブロックを開閉自在な蓋を備えた電池ケースに収納し、電池側のリード線と装置本体ケース内の電源被供給用の接続電線とを中継線にてコネクターを介して接続し、電池ケースの中継線の導出部において中継線をシール手段にて水密シールがなされて成ることを特徴とする電池式洗浄便座装置。」（請求項１）
（ｂ）「電池ケース４の上面には隆条部１６を形成し、隆条部１６にねじ孔又はタッピングホール１７を形成していて、図１に示すように、装置本体ケース７の下半部分１８の取付け孔に挿入したビス１９をタッピングホール１７にねじ込むことで、装置本体ケース７側に電池ケース４を取付けるようにしている。」（第３頁左欄第１２〜２０行）
（ｃ）「図１に示すように、装置本体ケース７の上半部分２６の内部に基板ケース２５を設けあり、基板ケース２５の内部に回路基板２７をポッティングして充填した樹脂で保持している。」（第３頁左欄第３１〜３４行）
（ｄ）「しかして、電池ブロック３を電池ケース４に収納し、電池ブロック３側のリード線２に中継線１３をコネクター１，１にて接続するとともに中継線１３を電池ケース４の導出孔２３を通してシール枠９をへて外部に導出し、装置本体ケース７内の接続電線８にコネクター１，１にて接続して、電池Ｂと回路基板２７の電源回路部とを電気的に接続している。この場合、シール枠９内においてシール手段６であるホットメルト樹脂、シリコン樹脂等のシール部材２８を充填して、電池ケース４の中継線１３の導出部分における水密シールを図っている。」（第３頁左欄第３９〜４９行）
（ｅ）「請求項１においては、コネクターを備えたリード線を電池の端子部に連結して電池ブロックを構成し、電池ブロックを開閉自在な蓋を備えた電池ケースに収納し、電池側のリード線と装置本体ケース内の電源被供給用の接続電線とを中継線にてコネクターを介して接続し、電池ケースの中継線の導出部において中継線をシール手段にて水密シールがなされているから、リード線は電池に連結してあって多湿環境においても電気的な接続不良が生じることがなく、又、中継線は電池ケースからの導出部においてシール手段によって水密シールが図られていて、電池ケース内への湿気や水が浸入するのを阻止することができるという利点がある。」（第３頁右欄第３７〜４８行）
（ｆ）「請求項２においては、電池ケースに筒状のシール枠を突出し、シール枠内において中継線の水密シールを図り、シール枠を装置本体ケース内に挿入しているから、電池ケースに形成しているシール枠の内部おいて中継線の水密シールをおこなうことができ、水密シール作業を容易におこなえ、このようなシール枠は装置本体ケースに挿入されていて、装置本体ケース及び電池ケースに伝わる湿気や水がシール枠の内部に浸入するのを阻止することができ、水密シールを損なうのを防止できるという利点がある。」（第３頁右欄第４９行〜第４頁左欄第８行）
（１０）刊行物１０：特開平８−４５５６２号公報：申立人Ｂの提出した甲第６号証
（ａ）「水密構造の本体ケース（１）内に、電池（３）を内蔵する電池ケース（２）を内蔵しており、電池ケース（２）内の電池（３）には、整流素子（２５）を介して誘導コイル（１８）が接続されており、誘導コイル（１８）に誘導される交流が整流素子（２５）で整流されて電池（３）を充電するように構成された防水構造の携帯式電気機器において、電池ケース（２）の開口窓（１１）がインナーパッキン（１２）を介してプリント基板（１０）で閉塞されると共に、プリント基板（１０）に誘導コイル（１８）を固定してなることを特徴とする電池を内蔵する防水構造の携帯式電気機器。」（請求項１）
（ｂ）「この図に示す携帯式電気機器は、本体ケース１内に、電池３を気密に内蔵する電池ケース２を内蔵している。電池ケース２は、本体ケース１の内径よりも細い外形の円筒状で、電池ケース２と本体ケース１との間に隙間を設けている。電池ケース２と本体ケース１との隙間には、メインパッキン４を配設している。」（第３頁右欄第４８行〜第４頁左欄第６行）
（１１）刊行物１１：特開平１１−５１７４１号公報：申立人Ｂの提出した甲第７号証
（ａ）「中空の下ケースと該下ケースの上部開口を閉塞する上ケースとを有するハウジングの内部にガス流量を計測する計量部を収容し、前記上ケースのガス流入口から前記計量部にガスを流入させると共に、該計量部から前記上ケースのガス流出口を経てガス消費端末に向けてガスを流出させ、該ガス消費端末によるガスの消費量を前記計量部により計測するガスメータにおいて、前記計量部により計測した前記ガスの消費量を電気信号化して所要の処理を行う処理回路部を前記ハウジングの内部に防水状態に収容するための構造であって、前記上ケース及び前記下ケースのうちいずれか一方の側部に一体に連設されて、該一方から側方に延出する中空の回路収容部を前記ハウジングに設け、前記回路収容部の下面にのみ、該回路収容部の内部と外部とを連通させる開口を設けて、該開口から前記回路収容部の内部に前記処理回路部を収容した、ことを特徴とするガスメータの回路部防水構造。」（請求項１）
（ｂ）「また、蓋体２３にはゴム製のグロメット２３ｂが嵌着されていて、このグロメット２３ｂを挿通した配線２７がコントロールボックス２１の端子台に接続されており、このグロメット２３ｂにより、蓋体２３に配線２７を挿通させた上での回路収容部１３の水密状態が確保されている。」（第４頁右欄第２１〜２６行）
（１２）刊行物１２：特開平６−３３５５０８号公報：異議申立人Ｂの提出した甲第８号証
（ａ）「外周で上下に分割されたケース本体と蓋体とから構成され、外表面から操作可能な操作部を設けたケース内に、該ケース外部へ投光可能に設けられた赤外線発光手段と、該操作部の操作により赤外線発光手段を発光させる制御手段と、該制御手段に電力を供給する電池を収納する電池室とを収納した浴室用リモートコントローラにおいて、前記赤外線発光手段は発光素子と該発光素子の基部から導かれるリード線とからなり、前記ケースは赤外線透過窓及び挿入孔を有する発光室を備え、該発光素子を該挿入孔に挿入し弾性部材からなるＯリングを介して該挿入孔の内壁に圧着して挿入孔を密封し、該リード線を介して該制御手段に電気的に接続して、該リード線及び該制御手段の電気的露出部を流動固化する水密密封手段により密封したことを特徴とする浴室用リモートコントローラ。」（請求項１）
（ｂ）「図２示のように、ケース本体１の内部には、ケース外部に赤外線を投光する赤外線発光手段４、操作パネル３の操作に従って赤外線発光手段４を発光させる制御装置５、制御装置５に電力を供給するボタン形電池６を収容する電池室７が設けられている。赤外線発光手段４及び制御装置５は、ケース本体１の内側でウレタン樹脂やエポキシ樹脂等の熱硬化性樹脂からなるポッティング液が充填、固化されて形成されている樹脂層８に被覆されて水密性が付与されており、電池室７は他から独立した区画となっており、電池室７を囲繞する壁７ａにより水密性が付与されている。」（第３頁右欄第３９〜４３行）
（ｃ）「そして、発光ダイオード９がリード線１０により制御装置５に接続されたのち、リード線１０及び制御装置５の電気的露出部が前記ポッティング液が充填、固化されて形成される樹脂層８で被覆されている。本実施例のリモートコントローラでは、発光ダイオード９がＯリング１１を介して挿入孔１５と大径部１５ａとの段差に圧着固定されているので、前記ポッティング液の発光室１３側への流出がＯリング１１により阻止され、発光ダイオード９が流出したポッティング液に被覆されてその赤外線発光性能が低減されることを防止できる。」（第４頁左欄第１７〜２７行）
（ｄ）「また、蓋体２には電池室７に連通する開口部３２が設けられており、蓋体２がケース本体１に係合されると、開口部３２を囲繞する壁３２ａの端面が電池室７の壁７ａにシーリング剤を介して接着される。開口部３２はＯリング３３ａを備え、Ｏリング３３ｂを備える電池室蓋３４により水密に閉蓋される。」（第５頁左欄第９〜１５行）
（ｅ）「本発明の浴室用リモートコントローラによれば、前記発光室に透明樹脂が充填されることにより、前記発光素子の発光領域を良好に確保することができるとともに、前記透明樹脂により赤外線透過窓の周縁からの浸水を確実に防止することができる。」第５頁右欄第２９〜３２行）
（１３）刊行物１３：特開昭５６−１１４８４号公報：申立人Ｂの提出した甲第９号証 
（ａ）「ステム基板と、この基板に配設された少なくとも一つの半導体発光素子と、この発光素子を囲んで配設される反射体と、少なくともこれらステム基板、発光素子、反射体を包囲し、かつ前記発光素子からの発光を放出する表示部を有する外囲器ケースを具備する半導体発光表示装置において、前記外囲器ケースが、樹脂封止の際の樹脂が前記表示部まで達しない様に設けられた樹脂溜手段を具備することを特徴とする半導体発光表示装置。」（特許請求の範囲第１項）
（ｂ）「特許請求の範囲第１項記載の半導体発光表示装置において、前記外囲器ケースの樹脂溜手段が、少なくとも前記外囲ケースの内側の角と、前記表示部との間に形成された仕切りにより構成されることを特徴とする半導体発光表示装置。」（特許請求の範囲第２項）
（ｃ）「６はポリカーボネイトまたはエポキシ,アクリル等のプラスチック成形材料よりなる箱型形状をなす外囲器ケースで、ステム基板１,発光素子２,リード線３,反射体４,光散乱フィルム５等を包む様になっている。」（第１頁右下欄第１８行〜第２頁左上欄第２行）
（ｄ）「７は湿気,水滴,ガス等外気との通気によって半導体発光表示装置としての信頼性が低下するのを防止するための樹脂封止に際して用いられた樹脂である。」（第２頁左上欄第７〜１０行）
（ｅ）「外囲器ケース６の表示都側の内側に樹脂溜手段として仕切１１が設けられている。」（第２頁右下欄第１〜３行）
　　　　　　　　　　　　　　　　　　　　　　　　　　　
３−３．対比・判断
（１）本件発明１について
　刊行物１の上記（１）（ａ）には、「水道栓に取り付けられた本体部、前記本体部に着脱自在に接続されて前記水道栓からの水を浄化する浄水カートリッジ、および相互に離脱可能に嵌合して前記本体部と前記浄水カートリッジとの間の電気的接続をする一対の電気接続部からなり、前記浄水カートリッジで生成された浄水を前記本体部に形成された浄水吐出部から吐出する浄水器であって、前記本体部は、浄水処理される水の通水量を検出する検出部と、前記検出部の出力により積算流量を算出する算出部と、前記積算流量に基いて前記浄水カートリッジの交換時期を報知する報知手段とを有し、前記浄水カートリッジには、前記本体部に電力を供給する電池が収納され、前記電気接続部には、毛細管現象による該電気接続部への水の浸透を阻止する浸透シール手段が設けられていることを特徴とする浄水器」が記載されている。
　また、上記（１）（ｃ）には、「継手パイプ１４により水道栓１０に取り付けられた本体部１と、可動ネジ部３１を介してこの本体部１に着脱自在に接続された浄水カートリッジ２とを有している。」ことが記載されている。　この場合、本体部には水道栓からの原水を受け入れる原水流入口が当然存在するものと解される。
　また、上記（１）（ｃ）には、「本体部１には、原水の吐出および浄水の吐出を切り替える操作レバー１１が取り付けられている。そして、この操作レバー１１が原水吐出位置にあるときには、水が矢印Ａから直接矢印Ｆに流れて、原水が吐水口キャップ１２からスレート吐出あるいはシャワー吐出される。また、操作レバー１１が浄水吐出位置にあるときには、水が矢印Ａから矢印Ｂ、矢印Ｃ、矢印Ｄ、矢印Ｅに順次流れて、浄水が浄水吐出部１３から吐出される。本体部１には、積算流量に基づいてカートリッジ交換時期の表示を行うＬＥＤ（報知手段）２７が設けられている。」ことが記載されている。
　また、上記（１）（ｄ）には、「本体部１には配線基板２３が取り付けられており、浄水カートリッジ２側に設けられた電気接続部２８ａ、および本体部１側に設けられて電気接続部２８ａと離脱可能に嵌合する電気接続部２８ｂを介して電池４から電源が供給される。一方、浄水カートリッジ２を本体部１から取り外すと、電気接続部２８ａと２８ｂとが相互に分離して電源供給が絶たれ、配線基板２３はその動作を停止する。なお、図５に示すように、毛細管現象により電気接続部２８ａ，２８ｂに水が浸透するのを防止するため、電気接続部２８ａの周囲には筒状のパッキン（浸透シール手段）２９が取り付けられている。」ことが記載されている。この場合、電池からの電力は結線部材で供給されているものと解される。
  また、上記（１）（ｆ）には、「配線基板２３は、検出部５で発生した交流電圧を増幅する増幅回路２４と、増幅回路２４で増幅された交流電圧をデジタル信号へと変換する電圧比較器２５と、電圧比較器２５の出力から積算流量を算出する算出部２６と、積算流量に基づいて浄水カートリッジ２の交換時期の表示を行うＬＥＤ（報知手段）２７とにより構成されている」ことが記載されている。この配線基板は制御機能を有する電子回路を構成しているものと解される。
　これら記載を本件発明１の記載ぶりに則って整理すると、刊行物１には、「内部に操作レバーを内蔵した本体部と浄水カートリッジとを有し、継手パイプにより水道栓に取り付けられる浄水器であって、継手パイプにより水道栓に接続されて原水を受け入れる原水流入口と、浄水吐出部と、制御機能を有する電子回路とを有し、浄水カートリッジには、結線部材により電力を供給する電池が収納されている、継手パイプにより水道栓に取り付けられる浄水器」という発明（以下、「刊行物１発明」という）が記載されていると云える。
  そこで、本件発明１と刊行物１発明とを対比すると、刊行物１発明の「操作レバー」、「浄水カートリッジ」、「継手パイプにより水道栓に取り付けられる浄水器」は、本件発明１の「切換弁」、「ろ過カートリッジ」、「蛇口に支持固定される蛇口直結型浄水器」にそれぞれ相当するから、両者は「内部に切換弁を内蔵した本体部とろ過カートリッジとを有し、蛇口に支持固定される蛇口直結型浄水器であって、蛇口に接続されて原水を受け入れる原水流入口と、浄水の流出口と、制御機能を有する電子回路とを有する、蛇口直結型浄水器」という点で一致し、次の点で相違している。
相違点：本件発明１では、「本体部は、結線部材により電子回路と結線されている陰極および陽極を備えた電池ホルダと、電池装着部を有し、電池を水密に固定する脱着自在な電池カバーとからなるケーシングを有し、前記結線部材は、防水部材によって前記電池ホルダに水密に固定されている」のに対し、刊行物１発明では、浄水カートリッジに、結線部材により電力を供給する電池が収納されている点
  この相違点を検討する。
　先ず、この相違点を検討するにあたって電池の収納場所を検討すると、本件発明１において本体部にケーシングを有しているということは本体部に電池を収納しているということである。これに対して、刊行物１では、本体部に電池を収納するという点については、従来技術を述べた箇所に、わずかに「従来、積算流量を算出して表示する浄水器は本体部に電池が内蔵されているので、電池交換時の対策としてバックアップ回路や電池寿命検出回路が必要となり、回路部が複雑になっていた。また、浄水カートリッジに加えて電池までも交換しなくてはならないので、メンテナンスが煩わしいという問題があった。」（上記（１）（ｂ））と、本体部に電池を内蔵することの問題点を指摘して記載されているだけである。加えて、刊行物１は電池を浄水カートリッジに収納するという技術に関する文献であり、この浄水カートリッジに電池を収納する効果を「これにより、浄水カートリッジの交換時に電池も同時に交換されるため、記憶データのバックアップ回路や電池寿命検出回路が不要になるとともに、ユーザによる電池交換作業も不要になる。」（上記（１）（ｉ））と評価しているのである。これらの点から、刊行物１は、本体部に電池を収納するという点は教示していないとみるべきである。
  また、刊行物１には、電気接続部の浸透シール手段については記載されているが（上記（１）（ａ）（ｅ）（ｇ）（ｈ））、電池のケーシングの構成とりわけ「結線部材により電子回路と結線されている陰極および陽極を備えた電池ホルダと、電池装着部を有し、電池を水密に固定する脱着自在な電池カバーとからなるケーシングを有し、前記結線部材は、防水部材によって前記電池ホルダに水密に固定されている」点（以下、「構成イ」という）については、記載も示唆もされていない。
　刊行物２には、浴室用機器コントローラにおいて、コントローラケーシング内に収納された乾電池が収納される内ケースが記載されており、該内ケースは略円筒状に形成され、内ケースには防水キャップがＯリングを介して水密的にねじ込み嵌合され、そして内ケースには乾電池が収納されており、内ケースからリード線でプリント配線盤等の電子部品に結線されていることが記載されている。
  しかしながら、刊行物２は何よりも蛇口直結型浄水器ではなく、浴室用機器コントローラの技術に関する文献であり、内ケースを本件発明１のケーシングとみたてても、本件発明１の電池カバーに対応する防水キャップには電池装着部がなく、また結線部材が、防水部材によって電池ホルダに水密に固定されていることも記載も示唆もされていない。してみると、刊行物２には上記構成イは記載も示唆もされていないと云える。
  刊行物３には、水密構造のケースを備えている充電電池を備える防水構造の電気機器において、水密構造を、押圧凸条を内面に設けたコード孔と軟質合成樹脂被覆銅線とから構成することが記載されているが、上記構成イは記載も示唆もされていない。
　刊行物７には、浄水器本体と濾過カートリッジとからなる蛇口直結型浄水器において、電力を供給する電源回路については記載されているが、電源回路が電池かどうかも不明であり、上記構成イは記載も示唆もされていない。
　刊行物８には、浄水器本体とカートリッジとからなる浄水器において、本体中に電池等の電源を有していることは記載されているが、浄水器が蛇口直結型浄水器であることは記載されていないし、ましてや上記構成イは記載も示唆もされていない。
　刊行物９には、電池を電源とする電池式洗浄便座装置であって、先端にコネクターを備えたリード線を電池の端子部に連結して電池ブロックを構成し、電池ブロックを開閉自在な蓋を備えた電池ケースに収納し、電池側のリード線と装置本体ケース内の電源被供給用の接続電線とを中継線にてコネクターを介して接続し、電池ケースの中継線の導出部において中継線をシール手段にて水密シールがなされて成ることが記載されている。この場合の「電池ケースの中継線の導出部において中継線をシール手段にて水密シールがなされて成る」点が上記構成イ中の「結線部材は、防水部材によって電池ホルダに水密に固定されている」構成と関連しているとも云えるが、刊行物９の電池ケースが本件発明１の電池装着部を有する電池カバー、電池ホルダからなるケーシングに相当するとも云えないから、上記構成イは記載も示唆もされていないと云える。
　刊行物１０には、電池を内蔵する防水構造の携帯式電気機器において、本体ケース内に、電池を気密に内蔵する電池ケースを内蔵しており、電池ケースと本体ケースとの隙間には、メインパッキンを配設しているいることが記載されているが、本件発明１の電池装着部を有する電池カバー、電池ホルダーに対応する部材が記載されていないところから、上記構成イは記載も示唆もされていないと云える。
  刊行物１１には、コントロールボックスの収容部の蓋体にゴム製のグロメットが嵌着されていて、このグロメットを挿通した配線がコントロールボックスに接続されているガスメータの回路部防水構造が記載されているが、電池について記載されておらず、ましてや電池装着部を有する電池カバー、電池ホルダからなるケーシングについて何も記載されていないから、上記構成イは記載も示唆もされていないと云える。
　また、下記（２）で述べるとおり、刊行物４〜６、１２、１３には、上記構成イは記載も示唆もされていない。
　なお、申立人Ｂが平成１６年４月１９日付け回答書に添付した甲第１０号証（特開平７−２２２２８９号公報）には、補聴器に関する技術とりわけ電池を嵌合保持せしめる電池カバーと電池室との間にＯリングを介挿させた電池収納装置が記載されているが、「結線部材は、防水部材によって電池ホルダに水密に固定されている」ことは記載も示唆もされていないから、上記構成イは記載も示唆もされていないと云える。
　同じく甲第１１号証（特開平８−２０３４８４号公報）には、電池を係止させた電池ホルダーが記載されているが、上記構成イは記載も示唆もされていないと云える。
　してみると、刊行物１〜１３を組み合わせても上記相違点の構成は当業者が容易に想到し得るものであるとすることができない。
  そして、本件発明１は上記相違点の構成により明細書記載の効果を奏するものと云える。
  したがって、本件発明１は刊行物１〜１３に記載された発明に基づいて当業者が容易に発明をすることができたものであるとすることができない。
（２）本件発明２について
　刊行物１に記載された内容を本件発明２の記載ぶりに則って整理すると、刊行物１には「継手パイプにより水道栓に接続されて原水を受け入れる原水流入口と、浄水カートリッジと、浄水吐出部とを備え、継手パイプにより水道栓に取り付けられる浄水器であって、制御機能を有する電子回路が設けられた配線基板と、ＬＥＤと、回路を駆動するための電池とを有し、ＬＥＤが配線基板を構成している、継手パイプにより水道栓に取り付けられる浄水器」という発明（以下、「刊行物１’発明」という）が記載されていると云える。
　そこで、本件発明２と刊行物１’発明とを対比すると、刊行物１’発明の「浄水カートリッジ」、「継手パイプにより水道栓に取り付けられる浄水器」は、本件発明２の「ろ過カートリッジ」、「蛇口に支持固定される蛇口直結型浄水器」にそれぞれ相当するから、両者は「蛇口に接続されて原水を受け入れる原水流入口と、原水を浄化するろ過カートリッジと、浄水の流出口とを備え、蛇口に支持固定される蛇口直結型浄水器であって、制御機能を有する回路が設けられた回路基板と、回路を駆動するための電池を設ける電源部とを有する蛇口直結型浄水器」という点で一致し次の点で相違している。
相違点（イ）：本件発明２では、表示は「液晶表示器」であるのに対して、刊行物１’発明では、ＬＥＤである点
相違点（ロ）：本件発明２では、「液晶表示器は回路基板に固定されるとともに一端に開口部を有する基板ホルダに収納され、その開口部が樹脂によって封止され、かつ、前記回路基板の周縁部において、その回路基板と前記基板ホルダとの間にパッキンが設けられている」のに対して、刊行物１’発明では、ＬＥＤが配線基板を構成している点
  これら相違点のうち相違点（ロ）について検討する。
　刊行物１には、上記（１）で述べたとおり、電気接続部の浸透シール手段については記載されているが、ＬＥＤの樹脂封止については何も記載されておらず、上記相違点（ロ）の構成は記載も示唆もされていないと云える。
　刊行物４には、「ＬＥＤあるいは液晶，蛍光表示管等の電気光学的表示手段を備える表示装置において、前記表示手段を、略箱形のポッティングケースに内包し、ポッティングケース内にゲル状の樹脂を埋設する構成に加えて、ポッティングケースの裏面と表示手段の表面との間に隙間を形成し、表示手段の外周にシール部を設けて前記隙間を密封したことを特徴とする表示装置」（上記（４）（ａ））が記載されている。
　この場合、「電気光学的表示手段と、仕切り板とは、その両者を接着等により固定して一体となった状態で制御基板８９に取り付ける」（上記（４）（ｃ））こと、すなわち、電気光学的表示手段が制御基板に取り付けられていることが記載されている。
　そして、シール部について具体的には、「蛍光表示管の表面と基板サポートとの間に０．２〜２ｍｍの隙間Ｇを設け、その蛍光表示管表面の外周と基板サポートとの間に両面テープをほどこして前記隙間Ｇを密封する」構成としている（上記（４）（ｄ））。
　してみると、刊行物４には、「液晶の電気光学的表示手段が制御基板に取り付けられるとともに、一端に開口部を有する、本件発明２の基板ホルダに相当するポッテイングケースに収納され、その開口部が樹脂によって封止され、かつ表示手段の外周とポッテイングケースとの間にシール部が設けられている」ことが記載されており、具体的には表示管表面とポッテイングケースとの間に両面テープがほどこされていると云える。
  しかしながら、刊行物４において、シール部が設けられているのが、表示手段の外周とポッテイングケースとの間であり、具体的には表示手段の表面とポッテイングケースとの間であるから、シール部が設けられた箇所は明らかに「回路基板の周縁部において、その回路基板と前記基板ホルダとの間」ではない。したがって、上記相違点（ロ）の構成は、記載も示唆もされていないと云える。
　刊行物５には、モールド樹脂で封止したエレクトロクロミック表示装置において、モールド樹脂の流れ込みを防止する遮蔽板は記載されているが、上記相違点（ロ）については記載も示唆もされていない。
　刊行物６には、液晶表示装置において、「液晶表示板はコントロール基板に取り付けられるとともに、一端に開口部を有する外ケースに収納され、その開口部が樹脂によって封止され、かつ液晶表示板の周縁部と外ケースとの間にパッキングが設けられている」ことが記載されていると云える。
　しかしながら、本件発明２の基板ホルダに相当する外ケースに、パッキングが設けられている箇所が、液晶表示板の周縁部と外ケースとの間であり、明らかに「回路基板の周縁部において、その回路基板と前記基板ホルダとの間」ではないから、相違点（ロ）の構成は、記載も示唆もされていないと云える。
　刊行物１２には、赤外線発光手段と制御手段と電池室とを収納した浴室用リモートコントローラにおいて、赤外線発光手段と制御手段とが樹脂層で被覆することが記載されているが、上記相違点（ロ）の構成は、記載も示唆もされていない。
  刊行物１３には、半導体発光表示装置において、外囲ケースを樹脂で封止する際に樹脂が表示部まで達しない様に仕切りを設けることは記載されているが、上記相違点（ロ）の構成は、記載も示唆もされていない。
   また刊行物２、３、７〜１１は上記（１）で述べたとおりであり、上記相違点（ロ）の構成は、記載も示唆もされていない。
　なお、申立人Ｂが平成１６年４月１９日付け回答書に添付した甲第１２号証（特開平５−１４２５２２号公報）には、液晶表示板とコントロール基板を基板ケースに収納しポッテイング処理したことは記載されているが、パッキングは液晶表示板の周りに設けられているから、上記相違点（ロ）の構成は、記載も示唆もされていないと云える。
　してみると、刊行物１〜１３を組み合わせても上記相違点（ロ）の構成は当業者が容易に想到し得るものであるとすることができない。
  そして、本件発明２は上記相違点（ロ）の構成により明細書記載の効果を奏するものと云える。
  したがって、他の相違点を検討するまでもなく、本件発明２は、刊行物１〜１３に記載された発明に基づいて当業者が容易に発明をすることができたものであるとすることができない。
　　　　　　　　　　　　　　　　　　　　　　　　
４．むすび
　以上のとおり、特許異議申立ての理由及び証拠方法によっては、訂正後の本件請求項１、２に係る発明の特許を取り消すことはできない。
 また、他に訂正後の本件請求項１、２に係る発明の特許を取り消すべき理由を発見しない。
 よって、結論のとおり決定する。
【異議決定日】
平成１７年４月１９日（２００５．４．１９）
【訂正の要旨】
審決（決定）の【理由】欄参照。
（５４）【発明の名称】
蛇口直結型浄水器
（５７）【特許請求の範囲】
　【請求項１】
　内部に切換弁を内蔵した本体部とろ過カートリッジとを有し、蛇口に支持固定される蛇口直結型浄水器であって、蛇口に接続されて原水を受け入れる原水流入口と、浄水の流出口と、制御機能を有する電子回路とを有し、前記本体部は、結線部材により電子回路と結線されている陰極および陽極を備えた電池ホルダと、
電池装着部を有し、
　【請求項２】
　蛇口に接続されて原水を受け入れる原水流入口と、原水を浄化するろ過カートリッジと、浄水の流出口とを備え、蛇口に支持固定される蛇口直結型浄水器であって、制御機能を有する回路が設けられた回路基板と、液晶表示器と、回路を駆動するための電池を設ける電源部とを有し、前記液晶表示器は前記回路基板に固定されるとともに一端に開口部を有する基板ホルダに収納され、その開口部が樹脂によって封止され、かつ、前記回路基板の周縁部において、その回路基板と前記基板ホルダとの間にパッキンが設けられていることを特徴とする蛇口直結型浄水器。
【発明の詳細な説明】
　【発明の属する技術分野】
　本発明は、積算流量表示、カートリッジ種類表示などのための制御機能を有する電子回路と、その電子回路を駆動するための電池を備えた電源部とを有する蛇口直結型浄水器に関する。
　【従来の技術】
　近年、積算流量表示やカートリッジ種類表示などのために電子回路や電池を設けた蛇口直結型浄水器が提案されており、たとえば実開平７−２４４９２号公報に記載された浄水器のように、電子回路や電池を水が飛散しにくい場所に設けるために、これをろ過カ−トリッジの内部に配設して密閉したものがある。
　しかしながら、このような構成のろ過カートリッジでは、ろ過材料が使用寿命に達したために取り外して廃棄する度に、未だ使用可能な電池や電子回路までをも廃棄することになり、極めて不経済である。
　一方、この問題点を解決するために、ろ過カートリッジではなく浄水器本体に電子回路や電池を設けることも可能であるが、単純に電子回路や電池を浄水器本体のケーシング内に収納するだけでは、実際に蛇口に取り付けて使用する際には複雑な構成部材の隙間から水が浸入して電子回路、電池に到達し、誤作動を引き起こしかねないといった問題がある。
　【発明が解決しようとする課題】
　本発明は、上述のような問題点に鑑み、複雑な構成部材の隙間から浄水器本体のケーシング内に水が浸入しても誤作動を引き起こさない、しかも経済的な浄水器を提供することを目的とするものである。
　【課題を解決するための手段】
　上記課題を達成するために本発明は、次を特徴とするものである。
　（１）内部に切換弁を内蔵した本体部とろ過カートリッジとを有し、蛇口に支持固定される蛇口直結型浄水器であって、蛇口に接続されて原水を受け入れる原水流入口と、浄水の流出口と、制御機能を有する電子回路とを有し、前記本体部は、結線部材により電子回路と結線されている陰極および陽極を備えた電池ホルダと、
電池装着部を有し、
　（２）蛇口に接続されて原水を受け入れる原水流入口と、原水を浄化するろ過カートリッジと、浄水の流出口とを備え、蛇口に支持固定される蛇口直結型浄水器であって、制御機能を有する回路が設けられた回路基板と、液晶表示器と、回路を駆動するための電池を設ける電源部とを有し、前記液晶表示器は前記回路基板に固定されるとともに一端に開口部を有する基板ホルダに収納され、その開口部が樹脂によって封止され、かつ、前記回路基板の周縁部において、その回路基板と前記基板ホルダとの間にパッキンが設けられていることを特徴とする蛇口直結型浄水器。
　【発明の実施の形態】
　以下に、本発明の望ましい実施の形態を、図を参照しながら説明する。
　本発明の浄水器は、図１〜図６に示すように、その内部に切換弁を内蔵した本体部２と、濾材を収納したろ過カ−トリッジ３などから構成されている。本体部２にはレバ−５が設けられ、レバ−５を操作することにより、蛇口４から原水流入口を通って流入した原水をそのままシャワ−水として吐出するか（原水シャワ−）、そのままストレ−ト水として吐出するか（原水ストレ−ト）、ろ過カ−トリッジ３に供給するか、を選択して切り換える。ろ過カ−トリッジ３に供給された原水は、活性炭などの吸着剤や中空糸膜等によってろ過され、浄水流出口から浄水として吐出される。
　まず、本体部２について説明する。
　本体部２は、図４、図５に示すように、切換弁を構成する３個のボ−ル１１ａ、１１ｂ、１１ｃと弁軸１２とを備えた切換弁本体１３、原水シャワ−口１４と、原水ストレ−ト口１５と、浄水流出口１９とを備えた下部ボディ１６、切換弁本体１３が上面に突出する開口部を備えた上部ボディ１７、切換操作を行う弁操作部１８、ろ過カ−トリッジ３を固定するカ−トリッジキャップ９１、流量を積算して、その結果を表示する電装部などから構成されている。
　切換弁本体１３には、リング状のパッキン３６が装着され、蛇口４のおねじ部にねじ込んだアダプタ３７を介して、取付ナット３８を切換弁本体１３に螺合させ、本体部２を蛇口４に取り付けるようになっている。
　切換弁本体１３の内部は、３個の通水路２１ａ、２１ｂ、２１ｃを開設した区画板２２によって、上部室２３と下部室２４とに区画されている。
　上部室２３には、３個のボ−ル１１ａ、１１ｂ、１１ｃが、３個の通水路２１ａ、２１ｂ、２１ｃに対応するように配置されている。ボ−ル１１ａが通水路２１ａにはまり通水路２１ａが閉じた状態で、ボ−ル１１ａの下部が下部室２４に突出するようになっている。ボ−ル１１ｂ、１１ｃについても同様である。
　円筒状の下部室２４には、弁軸１２が回動可能に挿着され、かつ、弁軸１２の所定位置に配設したＯリング２５ａ、２５ｂ、２５ｃが、下部室２４の内壁面と水密的に係合している。これによって下部室２４は３つに区画され、通水路２１ａからろ過カ−トリッジ３に原水を供給する原水供給口２６（図６参照）へ通じる流路３１ａと、通水路２１ｂから原水ストレ−ト口１５へ通じる流路３１ｂと、通水路２１ｃから原水シャワ−口１４へ通じる流路３１ｃとを形成している。
　また、図４に示したように、弁軸１２には、通水路２１ａ、２１ｂ、２１ｃに対向する位置に、カム部２７ａ、２７ｂ、２７ｃが設けられている。これらカム部２７ａ、２７ｂ、２７ｃは、弁軸１２の周方向に例えば６０°ずつずらして設けられており、弁軸１２を６０°ずつ回動することにより選択的に上方を向き、下部室２４に突出したボ−ルの下部を押し上げて通水路を開くことができるようになっている。すなわち、後述の弁操作部１８により弁軸１２を所定角度回動することで、通水路２１ａ、２１ｂ、２１ｃのいずれかを開放し、蛇口４から流入した原水をそのままシャワ−水として吐出するか、そのままストレ−ト水として吐出するか、ろ過カ−トリッジ３に供給するか、を選択できる。
　ボ−ル１１ａ、１１ｂ、１１ｃには、芯体としての金属球にゴムを覆ったものを用いているが、弁体の形状は球体に限らず円錐形でも円筒形でもよく、傘形でもよい。そして、通水路を閉塞したときのシ−ル性を向上させるためは、上部室２３に設けたボ−ル１１ａ、１１ｂ、１１ｃをバネ等で上方から通水路方向に付勢してもよい。
　図６、図１０に示すように、切換弁本体１３の側部後方には、ろ過カ−トリッジ３に原水を供給する原水供給口２６と、ろ過カ−トリッジ３から浄水を受け入れる浄水受入口２９とが設けられている。原水供給口２６は流路３１ａに連通しており、浄水受入口２９は浄水送水路３０を介して浄水流出口１９と連通している。浄水送水路３０には、後述する流量検出部１０２の水車１２２と水車支持部材１２３が設けられ、浄水の通水により水車１２２が回転するようになっている。
　次に、ろ過カ−トリッジ３について簡単に説明する。
　ろ過カ−トリッジ３は、図７の横断面図に示すように、容器６１の底部に、原水供給口２６から原水を受け入れる原水受入口６２と、浄水受入口２９に浄水を供給する浄水供給口６３が設けられている。原水受入口６２と浄水供給口６３には、それぞれＯリング７３、７４が設けられ、原水供給口２６と浄水受入口２９に接続した際に外部に水が漏れるのを防止している。
　容器６１の内部底面には円筒状突起６１ａが形成されており、円筒状突起６１ａに、中空糸膜モジュールの円筒体６４の下端がＯリング６５を介して嵌入立設されている。そして、この円筒体６４の外周上下部には、円筒体６４外周面と容器６１の内壁面との間を通過する原水の処理を行う吸着剤層７０を保持するために、リング状のフィルタ６６、６７が固定されている。
　円筒体６４の内部には、複数本の中空糸膜を束ねて逆Ｕ字状に折り曲げた中空糸膜束６８が収納されている。中空糸膜の両端部は、円筒体６４の下部にて各中空糸間および中空糸と円筒体６４との間に充填された硬化性樹脂６９（封止剤）により封止固定（ポッティング）されている。各中空糸膜は、容器６１へ嵌入する前にポッティング部が一部切断除去されているので、末端が浄水供給口６３に向かって開口している。
　そして、円筒体６４の外周面と容器６１の内壁面との間には、活性炭、ゼオライト、イオン交換樹脂、キレ−ト樹脂などからなる吸着剤層７０が配備されている。
　容器６１の上部は、中空糸膜束６８と吸着剤を容易に充填できるよう開口されており、内部の汚れを確認できるように透明キャップ７１が嵌入され、超音波溶着されている。
　上記のように構成されたろ過カートリッジ３は、図６に示したように、本体部２内に装填され、カ−トリッジキャップ９１が、ろ過カ−トリッジ３に覆い被さる位置で下部ボディ１６と上部ボディ１７とにネジ締付固定され、ろ過カ−トリッジ３を所定位置に固定する役目を果たしている。カ−トリッジキャップ９１には、開閉キャップ９２が開閉可能に設けられており、開閉キャップ９２を開くと、カ−トリッジキャップの開口部９３およびろ過部の透明キャップ７１を通じて、中空糸膜の汚れ具合を確認できるようになっている。
　続いて、図３、図６を用いて、弁軸１２を回動操作する弁操作部１８について説明する。
　弁操作部１８は、図６に示すように、レバ−５と、切換弁本体１３に回動可能に支持され、レバ−５と同じ軸回りに回動する駆動軸４１と、一端が下部ボディ１６に固定され他端がレバ−５に固定されたねじりコイルバネ４４などから構成されている。レバー５は、図３に示すように矢印Ａ方向に押し下げると、操作ストッパ−４３に当接するまで反時計方向に（図６を右側面から見た場合）回動し、レバ−５が操作ストッパ−４３に当接した状態で操作をやめて指を離すと、ねじりコイルばね４４により時計方向に回動し、初期位置に戻るようになっている。
　図８は、図５におけるＣ−Ｃ矢視概略断面図であって、レバ−５と駆動軸４１の接続部を示している。図８に示すように、駆動軸４１の一端に嵌入されたラチェット爪部材４７は、レバ−５のラチェット歯４８と噛み合ってラチェット機構を構成している。レバ−５を初期位置から反時計方向（図６を右側面から見た場合）に回動させるときには、駆動軸４１はレバ−５と一体となって反時計方向に４０°回動し、レバ−５が時計方向に回動して初期位置に戻るときには、駆動軸４１は回動しないようになっている。
　図６と、図６におけるＤ−Ｄ矢視概略断面図である図９に示すように、駆動軸４１には平歯車４５が設けられ、弁軸１２に設けられた平歯車４６と噛み合っている。平歯車４５と４６のギヤ比は３：２であるので、平歯車４５が４０°回動すると平歯車４６は６０°回動する。すなわち、レバ−５を１回操作すると、駆動軸４１は４０°回動し、弁軸１２は６０°回動する。ここで、平歯車をはすば歯車ややまば歯車などにしても何ら問題はない。また、ギヤ比を３：２としたが、これに限らず２：１でも３：１でもよい。平歯車４５の歯数を平歯車４６の歯数より大きくすると、駆動軸４１の回動角度に対し弁軸１２の回動角度は大きくなる。すなわちレバ−５の操作角度を小さくしても、弁軸１２の回動角度を十分に大きくすることができる。以上のように、歯車を用いるとギヤ比を選択することで容易にレバ−操作角度を設定でき、しかも確実かつ正確に流路切換ができる。
　そして、駆動軸４１には、図５に示すように、切換状態を示す「浄水」「ストレ−ト」「シャワ−」の文字が４０°毎に各３ヶ所印刷された表示リング５１が固定されている。表示リング５１に印刷された「浄水」「ストレ−ト」「シャワ−」いずれかの文字が、上部ボディ１７の開口部８１から見えるようになっていて、切換状態が容易に確認できる。なお、切換状態を示す表示は、文字、イラスト単独でも、また、それらの組合せでもよい。そして、開口部８１に透明部材８２を取り付けることで、食器洗いのときなどに水が本体部２の内部に入るのを防いだり、表示リング５１が汚れるのを防いだりしている。
　次に、たとえば流量を積算してその結果を表示するために、制御機能を備えた電子回路および電池を備えた電源部とを有する電装部について説明する。
　図６、図１０に示したように、本浄水器には電装部が設けられており、電装部は、電源部１０１と、流量検出部１０２と、ろ過カ−トリッジ識別部１０３と、制御部１０４と、液晶表示器１０５などから構成されている。
　電源部１０１は、図１１の分解斜視図に示すように、主に、本体部２に設けた電池ホルダ（ケーシング）１１５と、コイン形二酸化マンガンリチウム電池１１１（以下、電池１１１）と、陽極金具１１３および陰極金具１１４と、電池を水密に固定する脱着自在な電池カバ−（ケーシング）１１２などから構成される。
　電池カバ−１１２は、筒状の電池装着部１１６を有するとともにその外周にＯリング（防水部材）１１７を有し、電池カバ−１１２がバヨネット機構により電池ホルダ１１５に装着したときに電池装着部１１６に水が浸入するのを防ぐようになっている。筒状の電池装着部１１６には切り欠き１１８が設けられているので、指を引っかけて容易に電池を取り外すことができる。また、電池カバ−１１２の表面には、硬貨を挿入して回すための凹部１１９が設けられ、その周囲に、電池の規格と開閉のための回転方向を示す文字やイラストが刻印されている。したがって、使用者は、電池の規格と電池カバ−１１２の回転方向を確認した上で、コインを使って電池カバ−１１２を電池ホルダ１１５から取り外し、電池を交換することができる。
　電池ホルダ１１５内に設けられた陽極金具１１３および陰極金具１１４は、それぞれリ−ド線（結線部材）で図６に示す制御部１０４に結線されており、電池１１１による電力が制御部１０４に供給される。リ−ド線は、陽極金具１１３、陰極金具１１４との結線部において、ゴムキャップ（防水部材）１２０により電池ホルダ１１５に水密に固定されており、これにより、水がリ−ド線をつたって陽極金具１１３、陰極金具１１４さらには電池装着部１１６内に浸入し、電池１１１が濡れて放電したり腐食するのを防いでいる。
　電池は、一次電池でも二次電池であってもよく、比較的高い電圧で、長期間安定して電力を供給できる二酸化マンガンリチウム電池などのリチウム電池のほか、アルカリ乾電池、マンガン乾電池、酸化銀電池、空気亜鉛電池などでもよい。また、形状は、軽量で大きな設置スペ−スを必要としないボタン形、コイン形などの小形電池が好ましい。小形電池の場合、本体部が著しく大型化したり著しく重量増加することはなく、また、大幅なコストアップにもならない。
　流量検出部１０２は、図１０および図１２〜図１４に示すように、主に、磁石１２１を埋設した水車１２２と、水車１２２を回転可能に支持する水車支持部材１２３と、磁石の回転に応じて開閉する磁気スイッチ１２４と、磁気スイッチ１２４を支持固定する磁気スイッチホルダ１２５とから構成されている。
　水車１２２は、円柱形の軸部１３１に２枚の羽根１３２、１３３が形成されてなり、軸部１３１の一端には水車支持部材１２３の軸１２６が挿入される回転軸穴１３４が設けられ、他端には磁石１２１が埋設される磁石取付穴１３５が設けられている。
　磁石１２１は、そのＮ極・Ｓ極を結ぶ直線と水車１２２の回転軸とが垂直になるように磁石取付穴１３５に挿入し、脱落を防止するとともに接水による発錆を防止するために、磁石取付穴１３５の開口部に栓部材を被せ接着したり溶着する。磁石１２１の脱落および発錆を防止するためには、磁石１２１を磁石取付穴１３５に挿入した後、磁石取付穴１３５の開口部を硬化性樹脂１３６（封止材）で封止することも好ましい。硬化性樹脂としては、より安全性の高いポリウレタン樹脂が好ましいが、エポキシ樹脂や、その他の封止材、接着剤を用いてもよい。磁石１２１の錆を防止するためには、磁石そのものをコ−ティングすることも好ましい。また、磁石１２１には、磁力が強い希土類磁石のほか、フェライト磁石などを使用してもよい。
　水車１２２は、図１０に示すように、浄水送水路３０内で回転可能なように、水車支持部材１２３によって下流側から軸支されている。水車１２２は、その回転軸が浄水の送水方向に平行な軸流型であっても直交するものであってもよい。また、水車の羽根は２枚としているが、１枚でもよく、３枚以上でもよい。さらに、水車を、ろ過カ−トリッジ３の下流側の浄水送水路３０に設けたが、上流側に設けてもよい。この場合は、水車１２２にゴミ等が引っかからないよう、さらに上流側にプレフィルタを設けることが好ましい。
　磁気スイッチ１２４は、図１４に示すように、磁気スイッチホルダ１２５に挿入し、硬化性樹脂１３７（封止材）により封止固定して水の浸入を防止している。磁気スイッチ１２４の２つの端子はリ−ド線により図１０に示す制御部１０４と結線されており、磁気スイッチ１２４の開閉によるパルス信号が制御部１０４に伝達される。磁気スイッチ１２４を収容した磁気スイッチホルダ１２５は、図６に示すように、浄水送水路３０の外周に接し、かつ、水車１２２の近傍に固定されている。
　このように構成された流量検出部１０２は、浄水が流れることにより水車１２２が回転し、水車１２２に埋設された磁石１２１が回転し、それに応じて磁界が変化する。磁石１２１が１回転することにより磁気スイッチ１２４は２回開閉して、その結果、２周期分のパルス信号が発信され、制御部１０４に伝達される。
　次に、制御部１０４と液晶表示器１０５について、図６、図１６を用いて説明する。
　制御部１０４は、主に、ＣＰＵが設けられた回路基板（電子回路）１５１と、回路基板１５１を収納する、開口部を有する透明の基板ホルダ（ケ−シング）１５２と、回路基板１５１の基板ホルダ１５２内での位置規制をする基板枠１５３とから構成されている。ＣＰＵは、電源部１０１から電力供給を受け、流量検出部１０２からのパルス信号と、ろ過カ−トリッジ識別部１０３からの信号に基づいて演算を行い、液晶表示器１０５に出力信号を送るようになっている。回路基板１５１には、リセットボタン１５４が設けられ、外部からの操作でリセットボタン１５４を押して積算流量のデ−タ等をリセットできるようになっている。そして、リセットボタン１５４の上方にはスイッチゴム１５６を配置し、リセットボタンを簡単に操作できるようにするとともに、基板ホルダ１５２とスイッチゴム１５６よって回路基板１５１への水の浸入を防いでいる。
　液晶表示器１０５は、回路基板１５１に隣接するように支持固定して一体化されているので、本体部２の前方上部に位置し、使用者が使用中に見やすいようになっている。この液晶表示器１０５は、回路基板から離れた位置に配置しリ−ド線等で結線することも可能だが、回路基板１５１に直接、支持固定して一体化したほうが信号を確実に伝達できる。また、外部から水が浸入して回路基板１５１が誤作動するのを防止するため、基板ホルダ１５２に回路基板１５１とともに液晶表示器１０５を挿入し基板枠１５３で位置決めした後、基板ホルダ１５２の開口部を硬化性樹脂（防水部材）１５５で封止して防水加工を施す。このような防水加工により、各部品に対して個別に防水加工を施す必要がなく、製造工程の簡略化、製造コストの低減が可能になる。硬化前に流動性を有する硬化性樹脂１５５を用いているので、制御部１０４と電源部１０１等を結線しているリ−ド線の外周などをも隙間なく埋めることができ、リ−ド線をつたって回路基板１５１に水が浸入することを容易かつ確実に防止できる。硬化性樹脂１５５としては、耐水性に優れた２液混合型のポリウレタン樹脂が好ましい。また、回路基板１５１の周縁部において、回路基板１５１と基板ホルダ１５２との間にパッキン１５７を設けることで、防水加工を施す際に流動性を有する硬化性樹脂１５５が液晶表示器１０５側に流れ込み、液晶表示器１０５が見えにくくなることを防止する。
　液晶表示器１０５には、図１７に示すように、枠１６７とその中に設けられた３個のブロックＡ、Ｂ、Ｃからなるろ過カ−トリッジ交換表示素子１６１と、電池交換表示素子１６２と、カ−トリッジ種類表示素子１６３とが設けられており、それらが点灯、消灯、点滅することで、カートリッジの寿命、電池の寿命、カートリッジの種類を表示する。
　次に、図１０中のろ過カ−トリッジ識別部１０３について、図１５の概略縦断面図を用いて説明する。
　ろ過カ−トリッジ識別部１０３は、主に、導電部材１４２を密着させたゴムスイッチ１４３と、導電部材１４２との２つの接点を有する識別基板１４１と、それらを収納する識別部ハウジング１４４とから構成されている。
　識別基板１４１の２つの接点は、リ−ド線により回路基板１５１と結線されており、２つの接点の開閉が回路基板１５１に伝達されるようになっている。
　ゴムスイッチ１４３は、識別基板１４１と重ねるようにして識別部ハウジング１４４に収納されている。ろ過カ−トリッジ３の底部に設けた突起７２により、スイッチ操作穴１４５を通してゴムスイッチ１４３を押すと、導電部材１４２が識別基板１４１の２つの接点に接触し、回路が閉じ電流が流れるようになっている。ろ過カ−トリッジを取り外したことにより突起７２が離れると、弾性によりゴムスイッチ１４３が初期状態に戻り、接点が開く。ろ過カ−トリッジの底部に突起が設けられていない場合は、接点が開いたままである。すなわち、この接点の開閉信号により、底部に突起を設けたろ過カ−トリッジと、突起を設けていないカ−トリッジとを識別することができる。ゴムスイッチ１４３は、スイッチ操作穴１４５から識別基板１４１側に水が浸入するのを防ぐ役目も果たしている。
　なお、突起の替わりに底部に凹みを設けたカ−トリッジと、凹みを設けないカ−トリッジを識別する機構を採用してもよい。また、スイッチ操作穴、ゴムスイッチおよび識別基板を複数個設け、３種類以上のカ−トリッジの識別を可能にしてもよい。さらに、突起とゴムスイッチの替わりに、バ−コ−ドとバ−コ−ドリ−ダの組み合わせや、磁石と磁気スイッチの組み合わせを用いてもよい。
　続いて、以上のように構成された浄水器１の作用について説明する。
　図４は、原水が原水シャワ−口１４から吐出される状態を示している。蛇口を開くと、原水は、原水流入口２８から流入し、水流緩和部材３９でその勢いが緩和された後、カム部２７ｃがボ−ル１１ｃを押し上げて開放している通水路２１ｃを通過して、原水シャワ−口１４から吐出される。このとき、開口部８１からは表示リング５１に記された「シャワー」の文字が見える。
　ここで、図１に示すレバ−５を操作して、操作ストッパ−４３に当たるまで回動させると、図８に示すラチェット機構を介してレバ−５に接続されている駆動軸４１が４０°回動する。同時に平歯車４５から４６へ回動が伝達され、弁軸１２が正確に６０°回動する。すると、弁軸１２のカム２７ｃに替わりカム２７ｂが上方を向き、通水路２１ｃが閉じて通水路２１ｂが開く。その結果、原水は通水路２１ｃを通過して原水ストレ−ト口１５から吐出される。このとき、開口部８１からは表示リング５１に記された「ストレ−ト」の文字が見える。
　次に、レバ−５から指を離すと、ねじりコイルばね４４によりレバ−５は逆方向に回動し、初期位置に戻って停止する。このとき、ラチェット機構を介して接続された駆動軸４１は回動せず、弁軸１２も表示リング５１も回動しない。
　レバ−５をもう一度押し下げると、同様に弁軸１２が正確に６０°回動し、通水路２１ｂが閉じて通水路２１ａが開く。この結果、原水は通水路２１ａを通過して原水供給口２６に流れる。そして、図７に示す原水受入口６２からろ過カ−トリッジ３に流入し、活性炭などの吸着剤と中空糸膜によってろ過される。ろ過された水は、浄水供給口６３から浄水受入口２９に流れ、浄水送水路３０を通過して浄水流出口１９から吐出される（図１０参照）。このとき、開口部８１からは表示リング５１に記された「浄水」の文字が見え、また、浄水送水路３０に流れる浄水により水車１２２が回転し、流量検出部１０２によって回路基板１５１にパルス信号が送られ、そのパルス信号の周期が浄水の流量として積算される。
　そして、この浄水の積算流量に応じて、ろ過カートリッジの残存寿命が液晶表示器１０５のろ過カ−トリッジ交換表示素子１６１に表示される。すなわち、ろ過カ−トリッジ交換表示素子１６１は、図１７に示すように、ろ過カ−トリッジ使用開始時に枠１６７とブロックＡ、Ｂ、Ｃの全てが点灯しているが、浄水の積算流量に対応するパルスの積算カウント数が予め設定した第１の設定値に達したら、ブロックＡ１６４が消灯し、さらに第２の設定値に達したら、ブロックＢ１６５が消灯する。さらに、ろ過カ−トリッジを交換しなければならない積算流量に近づいたら（第３の設定値）、ブロックＣ１６６が消灯するとともに枠１６７が点滅し、ろ過カ−トリッジの交換を使用者に促す。使用者が、新しいろ過カ−トリッジに交換してリセットボタン１５４を押せば、積算カウント数がゼロに戻り、ろ過カ−トリッジ交換表示素子１６１も初期表示に戻る。
　また、液晶表示器１０５は、電池の電圧が予め設定した値以下に低下した時点で電池交換表示素子１６２を点滅し、使用者に電池の交換を促すようになっている。したがって、使用者は電池の使用開始時期と説明書等に記載されている電池寿命をわざわざ記憶しておく必要がない。そのため、電池寿命を忘れたために電池の交換ができずろ過カ−トリッジ使用中に積算流量のデ−タが消滅してしまうこともなく、適切な時期に電池交換が行える。使用者が新しい電池に交換すれば電池交換表示素子１６２は自動的に消灯するようになっている。なお、消費電力が使用状況に関わらずほぼ一定である場合は、浄水の積算流量や、浄水の通水時間の積算値や、浄水を通水していない時間の積算値などから、消灯から点灯に変わるタイミングを決めても差し支えない。なお、電池交換表示素子１６２は、電池使用開始時には消灯し、電池の寿命に近づいたときに点滅するというように構成しているが、前述のろ過カ−トリッジ交換表示と同様に段階的に表示してもよい。
　さらに、液晶表示器１０５は、カ−トリッジ種類表示素子１６３が前述したろ過カ−トリッジ識別部１０３からの信号に基づいて点灯、消灯することにより、装着しているカートリッジの種類を表示する。たとえば、底部に突起を設けた有機物の除去率が高いカ−トリッジ（以下、高除去カ−トリッジ）を装着した場合には点灯し、底部に突起が無い標準カ−トリッジを装着した場合には消灯する。ここで、カ−トリッジの寿命も異なる場合には、前述したろ過カ−トリッジ交換表示に関する第１〜３の設定値を、予め高除去カ−トリッジ用と標準カ−トリッジ用に対応させて設定する。これにより、ろ過カートリッジを交換する度に、ろ過カ−トリッジ識別部１０３からの信号に基づいて上記第１〜３の設定値が自動的に選択され、カ−トリッジの種類に合わせたカートリッジ残存寿命の表示が可能になり、使用者が適切な時期にろ過カ−トリッジの交換を行えるようになる。
　そして、この液晶表示器１０５は、ろ過カートリッジ３を使用しない場合には消灯する。すなわち、回路基板１５１のＣＰＵが、浄水の通水が停止して流量検出部１０２からのパルス信号が停止した（磁気スイッチ１２４が開または閉の状態が一定時間以上続いた）ことを検知してスリ−プモ−ドに切り替わり、液晶表示器１０５を消灯する。この切り替えによって電池の電力消費が大幅に抑えられ、電池を長期間使用できる。なお、電池交換直後とリセットボタン操作直後には一定時間だけスリ−プモ−ドを解除し、液晶表示器１０５を点灯させる。これは、使用者が、正しく電池を装着できたことや、正しくデ−タをリセットできたことを確認するためである。
　本発明は以下のように変形実施することができる。
　（１）前述の実施態様において、ろ過カ−トリッジ交換表示素子１６１はブロックを段階的に消灯させる方式としたが、段階的に点灯させる方式でもよい。また、積算流量を数値で表示する方式でも、さらには減算式、加算式いずれでもよい。
　（２）前述の実施態様では表示部に液晶表示器１０５を用いたが、ブザ−やスピ−カ−を設けて発信音や音声を同時に発すれば、使用者はさらにわかりやすくなる。
　（３）前述の実施態様では、制御部１０４にリセットボタン１５４を設けて手動でリセットするように構成したが、ろ過カ−トリッジ識別部１０３と同様、ろ過カ−トリッジ３の装着部近傍にリセットボタンを設け、ろ過カ−トリッジ３の脱着を検知してリセットを行う方式でもよい。
　（４）前述の実施態様では、ろ過カ−トリッジ識別部１０３によりろ過カ−トリッジの種類を識別したが、ろ過カ−トリッジの種類を手動で入力する入力ボタンを設けてもよい。また、リセットボタンを一定時間以上押し続けることでカ−トリッジの種類を入力するもの、すなわち入力ボタンとリセットボタンを兼用したものにすれば製造コストが抑えられる。
　（５）前述の実施態様では、電池カバ−１１２を電池ホルダ１１５にバヨネット機構により装着する構成としたが、ネジ締結機構でも、スライド機構でもよい。
　（６）前述の実施態様では磁気スイッチ１２４を用いて流量を検出したが、減速歯車機構と電気的接点を用いる方法や、ダイヤフラムなど通水によって変形する部材と電気的接点を用いる方法などを採用してもよい。
　（７）前述の実施形態ではラチェット機構を用い、レバ−５の上下動で切換操作を行ったが、レバ−の停止位置に応じて切換状態が換わる方式でもよい。
　（８）前述の実施形態では弁体にボ−ルを用いた切換弁としたが、ゴムパッキンやＯリングを装着した回動軸で流路の開閉を行う切換弁でもよい。
　【発明の効果】
　本発明の浄水器は、蛇口に接続されて原水を受け入れる原水流入口と、原水を浄化するろ過カ−トリッジと、浄水の流出口とを備え、蛇口に支持固定される蛇口直結型浄水器であって、制御機能を有する電子回路と、その電子回路を駆動するための電池を備えた電源部と、電子回路および／または電池への水の浸入を防ぐための防水部材とを備えているので、蛇口に取り付けて使用している際に、水がかかって構成部材の隙間から内部に水が浸入しても、電子回路や電池に水が到達し誤作動を起こすことはない。
　そして、電池を、結線部材により電子回路と結線されている陰極および陽極を備えたケーシングに収納し、かつ、結線部材を、防水部材によってケーシングに水密に固定する場合には、水がリ−ド線をつたって陽極、陰極、さらには電池に到達するのをより確実に防ぐことができる。また、電子回路を一端に開口部を有するケ−シングに収納するとともに、その開口部を樹脂によって封止する場合には、合わせてそのケーシング内に収納する液晶表示器なども同時に防水加工を施すことができる。したがって、各部品に対し防水加工を個別に施す必要がなく、製造工程の簡略化、製造コストの低減が可能になる。そして、作業時に流動性を有する硬化性樹脂を用いて防水することで、制御部と電源部等を結線しているリ−ド線の外周などをも隙間なく埋めることができ、電子回路への水の浸入を容易かつ確実に防止できる。特に、ポリウレタン樹脂は耐水性という観点からも好適である。
【図面の簡単な説明】
　【図１】
　本発明の一実施態様を示す浄水器の正面図である。
　【図２】
　図１に示す浄水器の上面図である。
　【図３】
　図１に示す浄水器の右側面図である。
　【図４】
　図２に示す浄水器のＡ−Ａ縦断面図である。
　【図５】
　図２に示す浄水器のＢ−Ｂ縦断面図である。
　【図６】
　図１に示す浄水器の横断面図である。
　【図７】
　ろ過カ−トリッジの横断面図である。
　【図８】
　図５に示す浄水器におけるレバ−と駆動軸との接続部のＣ−Ｃ矢視断面図である。
　【図９】
　図６に示す浄水器のＤ−Ｄ矢視断面図である。
　【図１０】
　図４に示す浄水器のＥ−Ｅ矢視断面図である。
　【図１１】
　電源部の分解斜視図である。
　【図１２】
　流量計測部の分解斜視図である。
　【図１３】
　図１２における水車と水車支持部材の断面図である。
　【図１４】
　図１２における磁気スイッチと磁気スイッチホルダの断面図である。
　【図１５】
　ろ過カ−トリッジ識別部の縦断面図である。
　【図１６】
　図６に示す浄水器における制御部のＦ−Ｆ矢視断面図である。
　【図１７】
　液晶表示器の概略図である。
　【符号の説明】
　　１　：　浄水器　　　　　　　　　　２　：　本体部
　　３　：　ろ過カ−トリッジ　　　　　４　：　蛇口
　　５　：　レバ−　　　　　　　　　１１ａ：　ボール
　１１ｂ：　ボール　　　　　　　　　１１ｃ：　ボール
　１２　：　弁軸　　　　　　　　　　１３　：　切換弁本体
　１４　：　原水シャワー口　　　　　１５　：　原水ストレート口
　１６　：　下部ボディ　　　　　　　１７　：　上部ボディ
　１８　：　弁操作部　　　　　　　　１９　：　浄水流出口
　２１ａ：　通水路　　　　　　　　　２１ｂ：　通水路
　２１ｃ：　通水路　　　　　　　　　２２　：　区画板
　２３　：　上部室　　　　　　　　　２４　：　下部室
　２５ａ：　ｏリング　　　　　　　　２５ｂ：　ｏリング
　２５ｃ：　ｏリング　　　　　　　　２６　：　原水供給口
　２７ａ：　カム部　　　　　　　　　２７ｂ：　カム部
　２７ｃ：　カム部　　　　　　　　　２８　：　原水流入口
　２９　：　浄水受入口　　　　　　　３０　：　浄水送水路
　３１ａ：　流路　　　　　　　　　　３１ｂ：　流路
　３１ｃ：　流路　　　　　　　　　　３６　：　パッキン
　３７　：　アダプタ　　　　　　　　３８　：　取付ナット
　３９　：　水流緩和部材　　　　　　４１　：　駆動軸
　４３　：　操作ストッパー　　　　　４４　：　ねじりコイルばね
　４５　：　平歯車　　　　　　　　　４６　：　平歯車
　４７　：　ラチェット爪部材　　　　４８　：　ラチェット歯
　５１　：　表示リング　　　　　　　６１　：　容器
　６１ａ：　円筒状突起　　　　　　　６２　：　原水受入口
　６３　：　浄水供給口　　　　　　　６４　：　円筒体
　６５　：　ｏリング　　　　　　　　６６　：　フィルタ
　６７　：　フィルタ　　　　　　　　６８　：　中空糸膜束
　６９　：　硬化性樹脂　　　　　　　７０　：　吸着剤層
　７１　：　透明キャップ　　　　　　７２　：　突起
　７３　：　ｏリング　　　　　　　　７４　：　ｏリング
　８１　：　開口部　　　　　　　　　８２　：　透明部材
　９１　：　カ−トリッジキャップ　　９２　：　開閉キャップ
　９３　：　開口部　　　　　　　　　１０１：　電源部
　１０２：　流量検出部　　　　　　　１０３：　ろ過カ−トリッジ識別部
　１０４：　制御部　　　　　　　　　１０５：　液晶表示器
　１１１：　電池　　　　　　　　　　１１２：　電池カバ−
　１１３：　陽極金具　　　　　　　　１１４：　陰極金具
　１１５：　電池ホルダ（ケ−シング）１１６：　電池装着部
　１１７：　ｏリング（防水部材）　　１１８：　切り欠き
　１１９：　凹部　　　　　　　　　　１２０：　ゴムキャップ（防水部材）
　１２１：　磁石　　　　　　　　　　１２２：　水車
　１２３：　水車支持部材　　　　　　１２４：　磁気スイッチ
　１２５：　磁気スイッチホルダ　　　１２６：　軸
　１３１：　軸部　　　　　　　　　　１３２：　羽根
　１３３：　羽根　　　　　　　　　　１３４：　回転軸穴
　１３５：　磁石取付穴　　　　　　　１３６：　硬化性樹脂
　１３７：　硬化性樹脂　　　　　　　１４１：　識別基板
　１４２：　導電部材　　　　　　　　１４３：　ゴムスイッチ
　１４４：　識別部ハウジング　　　　１４５：　スイッチ操作穴
　１５１：　回路基板　　　　　　　　１５２：　基板ホルダ（ケ−シング）
　１５３：　基板枠　　　　　　　　　１５４：　リセットボタン
　１５５：　硬化性樹脂（防水部材）　
　１５６：　スイッチゴム　　　　　　１５７：　パッキン
　１６１：　ろ過カ−トリッジ交換表示素子
　１６２：　電池交換表示素子　　　　１６３：　カ−リッジ種類表示素子
　１６４：　ブロックＡ　　　　　　　１６５：　ブロックＢ
　１６６：　ブロックＣ　　　　　　　１６７：　枠